【手続補正書】
【提出日】平成20年4月11日(2008.4.11)
【手続補正１】
【補正対象書類名】明細書
【補正対象項目名】発明の名称
【補正方法】変更
【補正の内容】
【発明の名称】エンジンの空燃比制御方法
【手続補正２】
【補正対象書類名】明細書
【補正対象項目名】特許請求の範囲
【補正方法】変更
【補正の内容】
【特許請求の範囲】
【請求項１】燃料タンクで発生したベーパの吸着及びその再脱離を許容する吸着剤と、エンジン吸気系への連通路であるパージラインとこの吸着剤との間に介在された空気層と、前記吸着剤を通過して前記パージラインに流入される空気の導入を許容する大気孔とを有するキャニスタを備え、前記燃料タンクで発生したベーパを前記キャニスタから前記パージラインを経由してエンジン吸気系にパージしつつ、燃焼室内で燃焼される混合気の空燃比を目標空燃比とするように燃料供給装置からエンジンへの燃料供給量をフィードバック補正することでエンジンの空燃比を制御する方法であって、
前記キャニスタ空気層でのベーパの蓄積状況を示す物理状態量（Mgair）、前記吸着剤でのベーパの蓄積状況を示す物理状態量（Mgcan）、前記燃料タンクでのベーパの発生状況を示す物理状態量（Fvptnk）、及び前記大気孔より導入される空気の流勢によって前記吸着剤から脱離して前記エンジン吸気系にパージされるベーパの流量である吸着剤脱離ベーパ流量（Fvpcan）に基づいたベーパ挙動についての物理モデルを用いて、前記パージラインを通じて前記エンジン吸気系にパージされるガスの総流量である総パージ流量（Fpgall）に応じた同ガス中のベーパの流量である総ベーパ流量（Fvpall）を推定し、
その推定した総ベーパ流量（Fvpall）に応じて前記フィードバック補正される燃料供給量を補正する
ことを特徴とするエンジンの空燃比制御方法。
【請求項２】請求項１に記載のエンジンの空燃比制御方法において、
前記キャニスタ空気層に蓄積されたベーパの量である空気層蓄積ベーパ量（Mpair）、及び前記吸着剤に蓄積されたベーパの量である吸着剤蓄積ベーパ量（Mgcan）の算出、及びそれら算出される空気層蓄積ベーパ量（Mpair）及び吸着剤蓄積ベーパ量（Mgair）に基づいて前記総パージ流量（Fpgall）に応じた前記総ベーパ流量（Fvpall）を推定する
ことを特徴とするエンジンの空燃比制御方法。
【請求項３】請求項２に記載のエンジンの空燃比制御方法において、
前記空気層蓄積ベーパ量（Mpair）と前記総パージ流量（Fpgall）とに応じて、前記キャニスタ空気層から前記パージラインに直接的に吸引されて前記エンジン吸気系にパージされるベーパの流量である空気層ベーパ流量（Fvpair）を算出するとともに、
前記吸着剤蓄積ベーパ量（Mpcan）と前記総パージ流量（Fpgall）とに応じて、前記吸着剤脱離ベーパ流量（Fvpcan）を算出し、
それら算出される空気層ベーパ流量（Fvpair）と吸着剤脱離ベーパ流量（Fvpcan）との和として前記総ベーパ流量（Fvpall）を推定する
ことを特徴とするエンジンの空燃比制御方法。
【手続補正３】
【補正対象書類名】明細書
【補正対象項目名】０００１
【補正方法】変更
【補正の内容】
【０００１】
【発明の属する技術分野】
本発明は、エンジンの空燃比制御方法、特に燃料タンクで発生したベーパ（燃料蒸気）をエンジン吸気系にパージ（放出）して処理するベーパパージシステムを備えるエンジンに適用されて好適な空燃比制御方法に関するものである。
【手続補正４】
【補正対象書類名】明細書
【補正対象項目名】００１５
【補正方法】変更
【補正の内容】
【００１５】
本発明は、こうした実情に鑑みてなされたものであって、その目的は、燃料タンクで発生したベーパをパージして処理するベーパパージシステムを備えるエンジンにあって、そのパージによるエンジンへのベーパ流量をより正確に推定して、空燃比制御等に与えるパージの影響を好適に抑制することのできるエンジンの空燃比制御方法を提供することにある。
【手続補正５】
【補正対象書類名】明細書
【補正対象項目名】００１６
【補正方法】変更
【補正の内容】
【００１６】
【課題を解決するための手段】
以下、上記目的を達成するための構成及びその作用効果について記載する。
［請求項１］
エンジンの空燃比制御方法としての請求項１に記載の発明は、燃料タンクで発生したベーパの吸着及びその再脱離を許容する吸着剤と、エンジン吸気系への連通路であるパージラインとこの吸着剤との間に介在された空気層と、前記吸着剤を通過して前記パージラインに流入される空気の導入を許容する大気孔とを有するキャニスタを備え、前記燃料タンクで発生したベーパを前記キャニスタから前記パージラインを経由してエンジン吸気系にパージしつつ、燃焼室内で燃焼される混合気の空燃比を目標空燃比とするように燃料供給装置からエンジンへの燃料供給量をフィードバック補正することでエンジンの空燃比を制御する方法であって、前記キャニスタ空気層でのベーパの蓄積状況を示す物理状態量（Mgair）、前記吸着剤でのベーパの蓄積状況を示す物理状態量（Mgcan）、前記燃料タンクでのベーパの発生状況を示す物理状態量（Fvptnk）、及び前記大気孔より導入される空気の流勢によって前記吸着剤から脱離して前記エンジン吸気系にパージされるベーパの流量である吸着剤脱離ベーパ流量（Fvpcan）に基づいたベーパ挙動についての物理モデルを用いて、前記パージラインを通じて前記エンジン吸気系にパージされるガスの総流量である総パージ流量（Fpgall）に応じた同ガス中のベーパの流量である総ベーパ流量（Fvpall）を推定し、その推定した総ベーパ流量（Fvpall）に応じて前記フィードバック補正される燃料供給量を更に補正するようにしたものである。
【手続補正６】
【補正対象書類名】明細書
【補正対象項目名】００１７
【補正方法】変更
【補正の内容】
【００１７】
ベーパパージシステムでのベーパ挙動は、キャニスタにおけるキャニスタ空気層及び吸着剤でのベーパの各蓄積状況、燃料タンクでのベーパの発生状況の３つの物理状態量（Mgair、Mgcan、Fvptnk）、及び吸着剤脱離ベーパ流量（Fvpcan）に基づいた物理モデルによって説明できる（図１３、図４６等参照）。また、パージシステムでのベーパ挙動は、パージ状況や燃料タンクでのベーパの発生状況等に応じて、刻一刻と変動していく。しかしながら、上記物理モデルによれば、上記各物理状態量（Mgair、Mgcan、Fvptnk）、及び吸着剤脱離ベーパ流量（Fvpcan）に基づくことで、かかるベーパ挙動の変化に合わせて、パージラインからエンジン吸気系にパージされるベーパの流量（総ベーパ流量Fvpall）を正確に推定可能である。したがって、上記構成によれば、パージシステムでのベーパ挙動の変化に拘わらず、パージラインからエンジン吸気系にパージされるベーパの流量を正確に予測し、パージ実施中の空燃比を高精度に制御することができるようになる。
【手続補正７】
【補正対象書類名】明細書
【補正対象項目名】００２２
【補正方法】変更
【補正の内容】
【００２２】
［請求項２］
請求項２に記載の発明は、請求項１に記載のエンジンの空燃比制御方法において、前記キャニスタ空気層に蓄積されたベーパの量である空気層蓄積ベーパ量（Mpair）、及び前記吸着剤に蓄積されたベーパの量である吸着剤蓄積ベーパ量（Mgcan）の算出、及びそれら算出される空気層蓄積ベーパ量（Mpair）及び吸着剤蓄積ベーパ量（Mgair）に基づいて前記総パージ流量（Fpgall）に応じた前記総ベーパ流量（Fvpall）を推定するようにしたものである。
【手続補正８】
【補正対象書類名】明細書
【補正対象項目名】００２４
【補正方法】変更
【補正の内容】
【００２４】
［請求項３］
請求項３に記載の発明は、請求項２に記載のエンジンの空燃比制御方法において、前記空気層蓄積ベーパ量（Mpair）と前記総パージ流量（Fpgall）とに応じて、前記キャニスタ空気層から前記パージラインに直接的に吸引されて前記エンジン吸気系にパージされるベーパの流量である空気層ベーパ流量（Fvpair）を算出するとともに、前記吸着剤蓄積ベーパ量（Mpcan）と前記総パージ流量（Fpgall）とに応じて、前記吸着剤脱離ベーパ流量（Fvpcan）を算出し、それら算出される空気層ベーパ流量（Fvpair）と吸着剤脱離ベーパ流量（Fvpcan）との和として前記総ベーパ流量（Fvpall）を推定するようにしたものである。
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】削除
【補正の内容】
【手続補正１５】
【補正対象書類名】明細書
【補正対象項目名】００３４
【補正方法】削除
【補正の内容】
【手続補正１６】
【補正対象書類名】明細書
【補正対象項目名】００３５
【補正方法】削除
【補正の内容】
【手続補正１７】
【補正対象書類名】明細書
【補正対象項目名】００３６
【補正方法】削除
【補正の内容】
【手続補正１８】
【補正対象書類名】明細書
【補正対象項目名】００３７
【補正方法】削除
【補正の内容】
【手続補正１９】
【補正対象書類名】明細書
【補正対象項目名】００３８
【補正方法】削除
【補正の内容】
【手続補正２０】
【補正対象書類名】明細書
【補正対象項目名】００３９
【補正方法】削除
【補正の内容】
【手続補正２１】
【補正対象書類名】明細書
【補正対象項目名】００４０
【補正方法】削除
【補正の内容】
【手続補正２２】
【補正対象書類名】明細書
【補正対象項目名】００４１
【補正方法】削除
【補正の内容】
【手続補正２３】
【補正対象書類名】明細書
【補正対象項目名】００４２
【補正方法】削除
【補正の内容】
【手続補正２４】
【補正対象書類名】明細書
【補正対象項目名】００４３
【補正方法】削除
【補正の内容】
【手続補正２５】
【補正対象書類名】明細書
【補正対象項目名】００４４
【補正方法】削除
【補正の内容】
【手続補正２６】
【補正対象書類名】明細書
【補正対象項目名】００４５
【補正方法】削除
【補正の内容】
【手続補正２７】
【補正対象書類名】明細書
【補正対象項目名】００４６
【補正方法】削除
【補正の内容】
【手続補正２８】
【補正対象書類名】明細書
【補正対象項目名】００４７
【補正方法】削除
【補正の内容】
【手続補正２９】
【補正対象書類名】明細書
【補正対象項目名】００４８
【補正方法】削除
【補正の内容】
【手続補正３０】
【補正対象書類名】明細書
【補正対象項目名】００５０
【補正方法】削除
【補正の内容】
【手続補正３１】
【補正対象書類名】明細書
【補正対象項目名】００５１
【補正方法】削除
【補正の内容】
【手続補正３２】
【補正対象書類名】明細書
【補正対象項目名】００５２
【補正方法】削除
【補正の内容】
【手続補正３３】
【補正対象書類名】明細書
【補正対象項目名】００５３
【補正方法】削除
【補正の内容】
【手続補正３４】
【補正対象書類名】明細書
【補正対象項目名】００５４
【補正方法】削除
【補正の内容】
【手続補正３５】
【補正対象書類名】明細書
【補正対象項目名】００５５
【補正方法】削除
【補正の内容】
【手続補正３６】
【補正対象書類名】明細書
【補正対象項目名】００５６
【補正方法】削除
【補正の内容】
【手続補正３７】
【補正対象書類名】明細書
【補正対象項目名】００５７
【補正方法】削除
【補正の内容】
【手続補正３８】
【補正対象書類名】明細書
【補正対象項目名】００５８
【補正方法】削除
【補正の内容】
【手続補正３９】
【補正対象書類名】明細書
【補正対象項目名】００５９
【補正方法】削除
【補正の内容】
【手続補正４０】
【補正対象書類名】明細書
【補正対象項目名】００６０
【補正方法】削除
【補正の内容】
【手続補正４１】
【補正対象書類名】明細書
【補正対象項目名】００６１
【補正方法】削除
【補正の内容】
【手続補正４２】
【補正対象書類名】明細書
【補正対象項目名】００６２
【補正方法】削除
【補正の内容】
【手続補正４３】
【補正対象書類名】明細書
【補正対象項目名】００６３
【補正方法】削除
【補正の内容】
【手続補正４４】
【補正対象書類名】明細書
【補正対象項目名】００６４
【補正方法】削除
【補正の内容】
【手続補正４５】
【補正対象書類名】明細書
【補正対象項目名】００６５
【補正方法】削除
【補正の内容】
【手続補正４６】
【補正対象書類名】明細書
【補正対象項目名】００６６
【補正方法】削除
【補正の内容】
【手続補正４７】
【補正対象書類名】明細書
【補正対象項目名】００６７
【補正方法】削除
【補正の内容】
【手続補正４８】
【補正対象書類名】明細書
【補正対象項目名】００６８
【補正方法】削除
【補正の内容】
【手続補正４９】
【補正対象書類名】明細書
【補正対象項目名】００６９
【補正方法】削除
【補正の内容】
【手続補正５０】
【補正対象書類名】明細書
【補正対象項目名】００７０
【補正方法】削除
【補正の内容】
【手続補正５１】
【補正対象書類名】明細書
【補正対象項目名】００７１
【補正方法】削除
【補正の内容】
【手続補正５２】
【補正対象書類名】明細書
【補正対象項目名】００７２
【補正方法】削除
【補正の内容】
【手続補正５３】
【補正対象書類名】明細書
【補正対象項目名】００７３
【補正方法】削除
【補正の内容】
【手続補正５４】
【補正対象書類名】明細書
【補正対象項目名】００７４
【補正方法】削除
【補正の内容】
【手続補正５５】
【補正対象書類名】明細書
【補正対象項目名】００７５
【補正方法】削除
【補正の内容】
【手続補正５６】
【補正対象書類名】明細書
【補正対象項目名】００７６
【補正方法】削除
【補正の内容】
【手続補正５７】
【補正対象書類名】明細書
【補正対象項目名】００７７
【補正方法】削除
【補正の内容】
【手続補正５８】
【補正対象書類名】明細書
【補正対象項目名】００７８
【補正方法】削除
【補正の内容】
【手続補正５９】
【補正対象書類名】明細書
【補正対象項目名】００７９
【補正方法】削除
【補正の内容】
【手続補正６０】
【補正対象書類名】明細書
【補正対象項目名】００８０
【補正方法】削除
【補正の内容】
【手続補正６１】
【補正対象書類名】明細書
【補正対象項目名】００８１
【補正方法】削除
【補正の内容】
【手続補正６２】
【補正対象書類名】明細書
【補正対象項目名】００８２
【補正方法】削除
【補正の内容】
【手続補正６３】
【補正対象書類名】明細書
【補正対象項目名】００８３
【補正方法】削除
【補正の内容】
【手続補正６４】
【補正対象書類名】明細書
【補正対象項目名】００８４
【補正方法】削除
【補正の内容】
【手続補正６５】
【補正対象書類名】明細書
【補正対象項目名】００８５
【補正方法】削除
【補正の内容】
【手続補正６６】
【補正対象書類名】明細書
【補正対象項目名】００８６
【補正方法】削除
【補正の内容】
【手続補正６７】
【補正対象書類名】明細書
【補正対象項目名】００８７
【補正方法】削除
【補正の内容】
【手続補正６８】
【補正対象書類名】明細書
【補正対象項目名】００８８
【補正方法】削除
【補正の内容】
【手続補正６９】
【補正対象書類名】明細書
【補正対象項目名】００８９
【補正方法】削除
【補正の内容】
【手続補正７０】
【補正対象書類名】明細書
【補正対象項目名】００９０
【補正方法】削除
【補正の内容】
【手続補正７１】
【補正対象書類名】明細書
【補正対象項目名】００９１
【補正方法】削除
【補正の内容】
【手続補正７２】
【補正対象書類名】明細書
【補正対象項目名】００９２
【補正方法】削除
【補正の内容】
【手続補正７３】
【補正対象書類名】明細書
【補正対象項目名】００９３
【補正方法】削除
【補正の内容】
【手続補正７４】
【補正対象書類名】明細書
【補正対象項目名】００９４
【補正方法】削除
【補正の内容】
【手続補正７５】
【補正対象書類名】明細書
【補正対象項目名】００９５
【補正方法】削除
【補正の内容】
【手続補正７６】
【補正対象書類名】明細書
【補正対象項目名】００９６
【補正方法】削除
【補正の内容】
【手続補正７７】
【補正対象書類名】明細書
【補正対象項目名】００９７
【補正方法】削除
【補正の内容】
【手続補正７８】
【補正対象書類名】明細書
【補正対象項目名】００９８
【補正方法】削除
【補正の内容】
【手続補正７９】
【補正対象書類名】明細書
【補正対象項目名】００９９
【補正方法】削除
【補正の内容】
【手続補正８０】
【補正対象書類名】明細書
【補正対象項目名】０１００
【補正方法】削除
【補正の内容】
【手続補正８１】
【補正対象書類名】明細書
【補正対象項目名】０１０１
【補正方法】削除
【補正の内容】
【手続補正８２】
【補正対象書類名】明細書
【補正対象項目名】０１０２
【補正方法】削除
【補正の内容】
【手続補正８３】
【補正対象書類名】明細書
【補正対象項目名】０１０３
【補正方法】削除
【補正の内容】
【手続補正８４】
【補正対象書類名】明細書
【補正対象項目名】０１０４
【補正方法】削除
【補正の内容】
【手続補正８５】
【補正対象書類名】明細書
【補正対象項目名】０１０５
【補正方法】削除
【補正の内容】
【手続補正８６】
【補正対象書類名】明細書
【補正対象項目名】０１０６
【補正方法】削除
【補正の内容】
【手続補正８７】
【補正対象書類名】明細書
【補正対象項目名】０１０７
【補正方法】削除
【補正の内容】
【手続補正８８】
【補正対象書類名】明細書
【補正対象項目名】０１０８
【補正方法】削除
【補正の内容】
【手続補正８９】
【補正対象書類名】明細書
【補正対象項目名】０１０９
【補正方法】削除
【補正の内容】
【手続補正９０】
【補正対象書類名】明細書
【補正対象項目名】０１１０
【補正方法】削除
【補正の内容】
【手続補正９１】
【補正対象書類名】明細書
【補正対象項目名】０１１１
【補正方法】削除
【補正の内容】
【手続補正９２】
【補正対象書類名】明細書
【補正対象項目名】０１１２
【補正方法】削除
【補正の内容】
【手続補正９３】
【補正対象書類名】明細書
【補正対象項目名】０１１３
【補正方法】削除
【補正の内容】
【手続補正９４】
【補正対象書類名】明細書
【補正対象項目名】０１１４
【補正方法】削除
【補正の内容】
【手続補正９５】
【補正対象書類名】明細書
【補正対象項目名】０１１５
【補正方法】削除
【補正の内容】
【手続補正９６】
【補正対象書類名】明細書
【補正対象項目名】０１１６
【補正方法】削除
【補正の内容】
【手続補正９７】
【補正対象書類名】明細書
【補正対象項目名】０１１７
【補正方法】削除
【補正の内容】
【手続補正９８】
【補正対象書類名】明細書
【補正対象項目名】０１１８
【補正方法】削除
【補正の内容】
【手続補正９９】
【補正対象書類名】明細書
【補正対象項目名】０１１９
【補正方法】削除
【補正の内容】
【手続補正１００】
【補正対象書類名】明細書
【補正対象項目名】０１２０
【補正方法】削除
【補正の内容】
【手続補正１０１】
【補正対象書類名】明細書
【補正対象項目名】０１２１
【補正方法】削除
【補正の内容】
【手続補正１０２】
【補正対象書類名】明細書
【補正対象項目名】０１２２
【補正方法】削除
【補正の内容】
【手続補正１０３】
【補正対象書類名】明細書
【補正対象項目名】０１２３
【補正方法】削除
【補正の内容】
【手続補正１０４】
【補正対象書類名】明細書
【補正対象項目名】０１２４
【補正方法】削除
【補正の内容】
【手続補正１０５】
【補正対象書類名】明細書
【補正対象項目名】０１２５
【補正方法】削除
【補正の内容】
【手続補正１０６】
【補正対象書類名】明細書
【補正対象項目名】０１２６
【補正方法】削除
【補正の内容】
【手続補正１０７】
【補正対象書類名】明細書
【補正対象項目名】０１２７
【補正方法】削除
【補正の内容】
【手続補正１０８】
【補正対象書類名】明細書
【補正対象項目名】０１２８
【補正方法】削除
【補正の内容】
【手続補正１０９】
【補正対象書類名】明細書
【補正対象項目名】０１２９
【補正方法】削除
【補正の内容】
【手続補正１１０】
【補正対象書類名】明細書
【補正対象項目名】０１３０
【補正方法】削除
【補正の内容】
【手続補正１１１】
【補正対象書類名】明細書
【補正対象項目名】０１３１
【補正方法】削除
【補正の内容】
【手続補正１１２】
【補正対象書類名】明細書
【補正対象項目名】０１３２
【補正方法】削除
【補正の内容】
【手続補正１１３】
【補正対象書類名】明細書
【補正対象項目名】０１３３
【補正方法】削除
【補正の内容】
【手続補正１１４】
【補正対象書類名】明細書
【補正対象項目名】０１３４
【補正方法】削除
【補正の内容】
【手続補正１１５】
【補正対象書類名】明細書
【補正対象項目名】０１３５
【補正方法】削除
【補正の内容】
【手続補正１１６】
【補正対象書類名】明細書
【補正対象項目名】０１３６
【補正方法】削除
【補正の内容】
【手続補正１１７】
【補正対象書類名】明細書
【補正対象項目名】０１３７
【補正方法】削除
【補正の内容】
【手続補正１１８】
【補正対象書類名】明細書
【補正対象項目名】０１３８
【補正方法】削除
【補正の内容】
【手続補正１１９】
【補正対象書類名】明細書
【補正対象項目名】０１３９
【補正方法】削除
【補正の内容】
【手続補正１２０】
【補正対象書類名】明細書
【補正対象項目名】０１４０
【補正方法】削除
【補正の内容】
【手続補正１２１】
【補正対象書類名】明細書
【補正対象項目名】０１４１
【補正方法】削除
【補正の内容】
【手続補正１２２】
【補正対象書類名】明細書
【補正対象項目名】０１４２
【補正方法】削除
【補正の内容】
【手続補正１２３】
【補正対象書類名】明細書
【補正対象項目名】０１４５
【補正方法】変更
【補正の内容】
【０１４５】
以下、こうした物理モデルの詳細、及びそれを適用したエンジンの空燃比制御方法について、詳細に説明する。
まず始めに、［１］として、上記パージシステムにおけるベーパ挙動の物理モデルの詳細を説明する。ここで説明の概要は次の通りである。
【手続補正１２４】
【補正対象書類名】明細書
【補正対象項目名】符号の説明
【補正方法】変更
【補正の内容】
【符号の説明】
１，３０…燃料タンク、２，３５…ベーパライン、３，４０…キャニスタ、３ａ，４２，４３…吸着剤、３ｂ，４５…キャニスタ空気層、４，７１…ベーパライン、５，１０…エンジン、１１…燃焼室、６，１２…吸気通路（エンジン吸気系）、１２ａ…デリバリパイプ（燃料供給装置）、１２ｂ…インジェクタ（燃料供給装置）、３１…燃料ポンプ（燃料供給装置）、７，７１ａ…パージ調整バルブ（ＶＳＶ）、８…大気孔、７０…大気バルブ（大気孔）、７２…大気導入ライン（大気孔）、７２ａ…大気導入バルブ（大気孔）、２０…ベーパパージシステム、５０…ＥＣＵ）。